(57)【要約】【課題】表示パターンに起因するパネルの熱破壊や画面の焼付を防止する表示装置の実現。【解決手段】発光の回数により表示輝度が決定される表示装置であって、各セルのサステイン周波数ｆｓｕｓを制御するサステイン周波数制御部２６と、表示データのフレーム毎の負荷率を演算する負荷率演算部２２と、複数のカウンタ３２−１，３２−Ｎと、負荷率を値に応じてカウンタの個数Ｎに対応する複数のレベルに分け、レベルに関係するカウンタのカウント値を増加させ、他のカウンタのカウント値を減少させるように制御する負荷率カウンタ制御部３１と、複数のカウンタのカウント値を判定し、いずれかのカウント値が所定の第１の値を越えた時には、第１の制御信号を出力する第１の判定部３３とを備え、サステイン周波数制御部２６は第１の制御信号に応じてサステイン周波数を減少させる。【選択図】　　　図２
2004045886.tif 000002
【特許請求の範囲】
【請求項１】
選択的に発光を行う複数のセルを有し、前記発光の回数により表示輝度が決定される表示装置であって、
１画面の表示フレームにおける各セルのサステイン周波数を制御するサステイン周波数制御部と、
表示データのフレーム毎の負荷率を演算する負荷率演算部と、
複数のカウンタと、
前記複数のカウンタのうち、前記負荷率演算部の演算した負荷率レベルに対応するカウンタのカウント値を増加させるように制御する負荷率カウンタ制御部と、
前記複数のカウンタのカウント値を判定し、いずれかのカウント値が所定の第１の値を越えた時には、第１の制御信号を出力する第１の判定部とを備え、
前記サステイン周波数制御部は、前記第１の制御信号に応じて前記サステイン周波数を減少させることを特徴とする表示装置。
【請求項２】
前記フレーム数をカウントし、前記第１の制御信号によりリセットされるフレームカウンタと、
前記フレームカウンタのカウント値が所定の第２の値を越えた時に第２の制御信号を出力する第２の判定部とを備え、
前記サステイン周波数制御部は、前記第２の制御信号に応じて、前記サステイン周波数を増加させる請求項１に記載の表示装置。
【請求項３】
前記表示データから階調レベルを演算する階調レベル演算部と、
演算した階調レベルに所定の階調レベル以上の階調が含まれているか判定し、含まれている時には第３の制御信号を発生する第３の判定部とを備え、
前記負荷率カウンタ制御部は、表示フレーム毎に、前記第３の制御信号が発生された時には、演算したレベルに関係するカウンタのカウント値を増加させ、他のカウンタのカウント値を減少させるように制御し、前記第３の制御信号が発生されない時には、前記複数のカウンタのすべてのカウント値を減少させるように制御する請求項１又は２に記載の表示装置。
【請求項４】
前記第３の判定部は、サステイン周波数が第４の所定値以上であるかを更に判定し、サステイン周波数が前記第４の所定値以上の時のみ前記第３の制御信号を発生する請求項３に記載の表示装置。
【請求項５】
サステイン周波数が第４の所定値以上であるかを判定し、サステイン周波数が前記第４の所定値以上の時に第３の制御信号を発生する第３の判定部を備え、
前記負荷率カウンタ制御部は、表示フレーム毎に、前記第３の制御信号が発生された時には、演算したレベルに関係するカウンタのカウント値を増加させ、他のカウンタのカウント値を減少させるように制御し、前記第３の制御信号が発生されない時には、前記複数のカウンタのすべてのカウント値を減少させるように制御する請求項１又は２に記載の表示装置。
【請求項６】
前記負荷率カウンタ制御部は、前記演算したレベルに対応するカウンタ、前記演算したレベルより１つ低いレベルに対応したカウンタ、前記演算したレベルより１つ高いレベルに対応したカウンタのカウント値を増加させ、それ以外のカウンタのカウント値を減少させる請求項１から５のいずれか１項に記載の表示装置。
【請求項７】
増加させるカウント値は、減少させるカウント値より大きい請求項６に記載の表示装置。
【請求項８】
増加させるカウント値は、減少させるカウント値の２倍である請求項７に記載の表示装置。
【請求項９】
当該表示装置における演算処理、判定処理及び制御処理は、演算装置のプログラムにより実行される請求項１から８のいずれか１項に記載の表示装置。
【発明の詳細な説明】
【０００１】
【発明の属する技術分野】
本発明は、プラズマディスプレイ（ＰＤＰ）装置等の表示装置に関し、特に発光の回数により表示輝度が決定され、１画面の表示フレームにおける各セルの総発光回数が変化させられる表示装置に関する。
【０００２】
【従来の技術】
近年、表示（ディスプレイ）装置においては、薄型化、表示すべき情報や設置条件の多様化、大画面化及び高精細化の要求が著しく、これらの要求を満たすディスプレイ装置が要望されている。薄型のディスプレイ装置としては、ＬＣＤ、蛍光表示管、ＥＬ、ＰＤＰ（プラズマディスプレイパネル）等の各種の方式がある。蛍光表示管、ＥＬ、ＰＤＰ等においては、階調表示を行う場合、一般に１つの表示フレームを複数のサブフレームで構成し、各サブフレーム期間を重み付けして異ならせ、階調データの各ビットを対応するサブフレームで表示している。以下、ＰＤＰを例として説明を行う。ＰＤＰ装置については広く知られているので、ここではＰＤＰ装置自体の詳しい説明は省略し、一般的なＰＤＰ装置の概略のみを説明する。
【０００３】
図１は、一般的なＰＤＰ装置の全体構成を示すブロック図である。パネル１０では、複数のＸ電極とＹ電極が相互に隣接して配置され、これらと直交するように複数のアドレス電極が配置されている。複数のＸ電極は共通に接続され、Ｘ側共通ドライバ１１により同じ駆動信号が印加される。複数のＹ電極はそれぞれＹ側スキャンドライバ１２に接続され、アドレス期間には順にスキャンパルスが印加される。Ｙ側スキャンドライバ１２にはＹ側共通ドライバ１３が接続され、リセット期間や維持放電（サステイン）期間にはＹ電極に共通の駆動信号を印加する。アドレス電極はアドレスドライバ１４に接続され、アドレス期間にはスキャンパルスに同期してアドレスパルスが印加され、スキャンパルスで選択された行の表示セルを点灯するか点灯しないかが選択される。制御部１５は、内部に表示データ制御部１６、スキャンドライバ制御部１７及び表示／電力制御部１８を有し、外部から垂直同期信号Ｖｓｙｎｃ、ドットクロック及び表示データが供給される。制御部１５はＣＰＵを備えており、上記の各部はハードウエアやＣＰＵによるソフトウエアで実現される。アドレスドライバ１４には表示データ制御部１６からアドレスパルスデータが供給される。Ｘ側共通ドライバ１１、Ｙ側スキャンドライバ１２及びＹ側共通ドライバ１３は、スキャンドライバ制御部１７により制御される。
【０００４】
ＰＤＰ装置の駆動方法、サブフレーム方式による階調表示及び電力制御については、特開２００２−９９２４２号公報などに開示されているので、それらについての基本的な説明を省略する。
【０００５】
ＰＤＰ装置では、点灯するか点灯しないかの２値の状態しかとれないため、発光の回数を変えて階調を表現する。そのため、１フレームを複数のサブフレームに分割し、点灯するサブフレームを組み合わせることにより行うサブフレーム方式を使用する。各サブフレームの発光回数（サステインパルス数）は適宜定められており、各表示セルの最大発光回数はすべてのサブフレームの発光回数の合計である。この各表示セルの最大発光回数を一般にサステイン周波数と呼ぶので、ここでもこの語を使用する。
【０００６】
明るい画像を表示する時には、１表示フレームの全体の発光パルス数が増大し、消費電力、すなわち消費電流が増大する。画面全体の１表示フレームでの最大発光パルス数は、全セルをサステイン周波数で点灯する時である。画像全体の明るさを示す指標として表示負荷率が使用される。表示負荷率は１表示フレームにおける全セルの発光パルス数の合計のこの最大発光パルス数に対する割合を示す。表示負荷率は、全セルを黒表示する時が０％であり、全セルを最大輝度で表示する時が１００％である。
【０００７】
ＰＤＰ装置では、サステイン期間に流れる電流が大きな割合を占めるので、１表示フレームの発光パルス数の総量が増大すると消費電流が増大する。各サブフレームのサステインパルス数が固定であるとすると、すなわちサステイン周波数が一定であるとすると、表示負荷率の増加に従って消費電力Ｐ（又は消費電流）が増大する。
【０００８】
ＰＤＰ装置では消費電力の限界が定められている。表示負荷率が最大になる時、すなわち全セルを最大輝度で表示する時にも、消費電力が限界以下になるようにサステイン周波数を設定することも考えられる。しかし、通常の画像の表示負荷率は十数％から数十％程度であり、表示負荷率が１００％に近くなることはほとんどなく、通常の表示が暗くなるという問題がある。そこで、表示負荷率に応じてサステイン周波数を変化させ、消費電力Ｐが限界を越えない範囲でできるだけ明るい表示を行うように制御する電力制御が行われている。この電力制御は、図１の表示／電力制御部１８で行われる。従来の電力制御については、例えば、上記の特開２００２−９９２４２号公報などに開示されている。
【０００９】
【発明が解決しようとする課題】
プラズマディスプレイ（ＰＤＰ）装置では、各セルでの発光及び放電により熱が発生し、発生する熱量は単位時間当りの発光回数に比例する。そのため、表示パターンによっては局所的に大きな量の熱が発生され、パネル面上で温度分布を生じ、大きな温度勾配が発生した部分では熱破壊が発生する場合がある。
【００１０】
このような問題を解決するため、上記の特開２００２−９９２４２号公報は、表示負荷率に応じてサステイン周波数が制御される場合、このような問題が発生するのはサステイン周波数が大きな場合に限られることに着目して、サステイン周波数が大きな状態が連続した時には熱破壊が発生する可能性があるのでサステイン周波数を減少させる技術を開示している。
【００１１】
熱破壊の原因となるパターンは、例えば、高いコントラストの静止画である。また、このようなパターンが長時間表示されると、熱破壊に至らなくてもそのパターンの部分の螢光体などが劣化して焼付と呼ばれる現象が発生する。特開２００２−９９２４２号公報に開示された技術は簡単であるが、動画のためにパネルの熱破壊や焼付けなどの問題が生じない場合にもサステイン周波数を減少させて画面の明るさが低下するという問題があった。
【００１２】
特開平１０−２０７４２３号公報及び特開２００１−１０５２２号公報は、連続したフレームの表示データを比較して熱破壊や焼付を発生させる表示パターンを検出し、このような表示パターンの場合には輝度を低下させるなどの制御を行う構成を開示している。
【００１３】
本発明は、熱破壊や焼付を発生させる可能性が高いかを判定する別の方式を提案するもので、熱破壊や焼付を防止可能にした新規な表示装置の実現を目的とする。
【００１４】
【課題を解決するための手段】
本発明も、熱破壊や焼付を発生させる表示パターンであるかを判定するために、連続したフレームの負荷率に着目して、負荷率を監視することにより熱破壊や焼付の発生の可能性を判定する。
【００１５】
前述のように、ＰＤＰ装置では、負荷率に基づいて電力制御が行われるため、負荷率の演算部が既に設けられており、熱破壊や焼付を発生させる表示パターンであるかの判定を負荷率で行えば、わざわざ演算する必要がなく簡単に判定が行える。
【００１６】
具体的には、複数のカウンタと、既存の負荷率演算部の演算した負荷率を値に応じてカウンタの個数に対応する複数のレベルに分け、演算したレベルに関係するカウンタのカウント値を増加させ、他のカウンタのカウント値を減少させるように制御する負荷率カウンタ制御部と、複数のカウンタのカウント値を判定し、いずれかのカウント値が所定の第１の値を越えた時には、第１の制御信号を出力する第１の判定部とを設け、サステイン周波数制御部は、第１の制御信号に応じてサステイン周波数を減少させる。
【００１７】
このような構成により、より細分化した負荷率の変化が検出できるので、パネルの熱破壊や焼付けを生じる可能性を高精度に判定することが可能であり、その結果、パネルの熱破壊や焼付けを生じない映像の輝度を一層向上できる。
【００１８】
なお、逆に負荷率が変化する時には、パネルの熱破壊や焼付けを生じる可能性が低いので、サステイン周波数を増加させることが望ましい。
【００１９】
更に、パネルの熱破壊や焼付けを生じる可能性が高いのは、表示データに高い階調レベルが含まれる場合であり、高い階調レベルが含まれない時にはパネルの熱破壊や焼付けを生じる可能性は低い。そこで、表示フレーム毎に、表示データから階調レベルを演算して、所定の階調レベル以上の階調が含まれている時にのみ、上記のカウンタのカウント値の増減を行い、所定の階調レベル以上の階調が含まれていない時には、カウンタのカウント値をすべて減少させるようにする。
【００２０】
カウンタの個数は適宜設定することが可能である。また、演算した負荷率のレベルに対して、そのレベルに対応するカウンタのカウント値を増加させるだけでなく、そのレベル付近に対応するカウンタのカウント値を増加させ、それ以外のカウンタのカウント値を減少させることも可能である。例えば、演算したレベルの両側のレベルに対応するカウンタのカウント値も増加させる。
【００２１】
更に、増加させるカウント値と減少させるカウント値は適宜設定することが可能であり、例えば、増加させるカウント値を減少させるカウント値より大きくしてもよく、例えば２倍にする。
【００２２】
演算処理、判定処理及び制御処理は、回路で実行することも可能であるが、演算装置のプログラムにより実行することが望ましい。
【００２３】
【発明の実施の形態】
以下、本発明を図１のプラズマディスプレイ（ＰＤＰ）装置に適用した実施例を説明する。しかし、本発明はこれに限定されるものではなく、発光の回数により表示輝度が決定され、１画面の表示フレームにおける各セルの総発光回数を消費電力などに応じて変化させる形式の表示装置であれば、どのようなものにも適用可能である。
【００２４】
図２は、本発明の第１実施例のＰＤＰ装置の電力制御部の構成を示す図である。第１実施例のＰＤＰ装置は、図１に示すような構成を有し、制御部１５の表示／電力制御部１８が図２のような構成の電力制御部２０を有する。他の部分は、これまで説明した従来例と同じである。
【００２５】
図２に示すように、電力制御部２０は、入力される垂直同期信号Ｖｓｙｎｃから１フレームの時間（フレーム長）を演算するフレーム長演算部２１と、入力される表示データの負荷率を演算する負荷率演算部２２と、フレーム長演算部２１の出力結果及び負荷率演算部２２の出力結果からサステイン周波数ｆｓｕｓを演算するサステイン周波数演算部２３と、サステイン周波数を決定するサステイン周波数制御部２６とを有する。以上の構成は、特開２００２−９９２４２号公報に開示されている。
【００２６】
本実施例の電力制御部２０は、更に、負荷率カウンタ制御部３１と、第１負荷率カウンタ３２−１から第Ｎ負荷率カウンタ３２−Ｎと、第１判定部３３と、垂直同期信号カウンタ３４と、第２判定部３５とが設けられている。
【００２７】
負荷率カウンタ制御部３１は、負荷率演算部２２の出力する各フレームの負荷率を、値に応じてＮ個のレベルに分け、Ｎ個のカウンタのうちその値に関係するカウンタのカウント値を増加させ、他のカウンタのカウント値を減少させるように制御する。例えば、負荷率がＭの場合には、第Ｍ負荷率カウンタ３２−Ｍのカウント値を増加させ、それ以外の負荷率カウンタのカウント値を減少させる。なお、第Ｍ負荷率カウンタ３２−Ｍのカウント値を増加させるだけでなく、第Ｍ−１負荷率カウンタと第Ｍ＋１負荷率カウンタのカウント値を増加させ、それ以外の負荷率カウンタのカウント値を減少させるといった具合に、負荷率カウンタの個数などに応じてカウント値を増加させるカウンタの個数を設定すればよい。また、カウント値を増加させる場合は２増加させ、減少させる場合には１だけ減少させるという具合に、カウント値の増加量と減少量を適宜設定することも可能である。
【００２８】
第１判定部３３は、Ｎ個の負荷率カウンタのカウント値を判定し、いずれかのカウント値が所定の第１所定値を越えた時には、第１の制御信号をサステイン周波数制御部２６と垂直同期信号カウンタ３４に出力する。
【００２９】
垂直同期信号カウンタ３４は、入力される垂直同期信号をカウントし、カウント値を第２判定部３５に出力する。垂直同期信号はフレームの最初に入力されるので、垂直同期信号カウンタ３４はフレーム数をカウントすることになる。垂直同期信号カウンタ３４は、第１判定部３３から第１の制御信号を受けてカウント値をリセットする。
【００３０】
第２判定部３５は、垂直同期信号カウンタ３４のカウント値が第２所定値を越えているか判定し、越えていた時にサステイン周波数制御部２６に第２の制御信号を出力する。
【００３１】
サステイン周波数制御部２６は、サステイン周波数演算部２３の出力結果からサステイン周波数ｆｓｕｓを決定するが、第１の制御信号を受けた時にはサステイン周波数ｆｓｕｓを減少させ、第２の制御信号を受けた時にはサステイン周波数ｆｓｕｓを増加させる。サステイン周波数ｆｓｕｓの変化は無制限に行われるわけではなく、消費電力を考慮しながら行われる。
【００３２】
電力制御部２０は、ハードウエアの回路でも実現できるが、演算装置（ＣＰＵ）を利用してソフトウエアでも実現できる。
【００３３】
図３は、第１実施例における処理を示すフローチャートである。
【００３４】
ステップ１０１で、垂直同期信号を検出し、ステップ１０２で、垂直同期信号カウント値を１だけ増加させる。ステップ１０３では、表示データから負荷率を演算し、ステップ１０４では、演算した負荷率から一旦サステイン周波数ｆｓｕｓを決定する。
【００３５】
ステップ１０５では、演算した負荷率に対応する負荷率カウンタのカウント値Ｗを１だけ増加させ、それ以外の負荷率カウンタのカウント値Ｗを１だけ減少する。ステップ１０６では、複数の負荷率カウンタのカウント値Ｗのいずれかが第１の所定値Ｃ以上であるか判定する。第１の所定値Ｃ以下であれば、ステップ１０９に進む。第１の所定値Ｃ以上であれば、ステップ１０７で垂直同期信号カウンタのカウント値ｔをゼロにリセットし、ステップ１０８で、サステイン周波数ｆｓｕｓを減少させる。
【００３６】
ステップ１０９では、垂直同期信号カウンタのカウント値ｔが第２の所定値Ｄ以上であるか判定する。第２の所定値Ｄ以下であればそのまま終了し、第２の所定値Ｄ以上であれば、ステップ１１０でサステイン周波数ｆｓｕｓを増加させる。
【００３７】
以上説明したように、第１実施例では、複数の負荷率カウンタで一定の負荷率が続いたことを検出している。静止画の場合は、一定の負荷率が続くので、これにより静止画であるかが判定される。実際の構成では、例えば、負荷率が５０％以上の場合には、消費電力制御によりサステイン周波数が小さくなるので熱破壊や焼付けは生じないと考えられるので、０％から５０％を２５６分割し、２５６個の負荷率カウンタを設ける。静止画に近い画像でも表示データが若干ばらつくので、例えば演算した負荷率に対応する負荷率カウンタの両側２個ずつの負荷率カウンタのカウント値を２増加させ、それ以外の負荷率カウンタのカウント値を１だけ減少させる。そして、周波数を減少させる必要があるのは静止画が１分間続いた場合として、１秒に６０フレームであるので、６０×６０×２として、負荷率カウンタのカウント値が７２００以上になった場合に、サステイン周波数を減少させる。
【００３８】
また、垂直同期信号カウンタのカウント値は、第１の制御信号でリセットされるので、静止画が表示されなくなってからのフレーム数を示す。静止画が表示されていたためにサステイン周波数を減少させていたが、静止画が表示されなくなってから第２の所定値数分のフレームを表示すると熱歪みなども緩和されるので、サステイン周波数を増加させるようにする。
【００３９】
図４は、本発明の第２実施例のＰＤＰ装置の電力制御部の構成を示す図である。図示のように、第２実施例の電力制御部は、第１実施例の電力制御部と、階調レベル演算回路４１と第３判定部４２を加えている点が異なる。階調レベル演算回路４１は、表示データからどのような階調レベルが含まれているか演算する。第３判定部４２は、演算した階調レベルに所定の階調レベル以上の階調が含まれているか判定し、含まれている時には第３の制御信号を発生して負荷率カウンタ制御部３１に出力する。負荷率カウンタ制御部３１は、表示フレーム毎に、第３の制御信号が発生された時には、演算したレベルに関係する負荷率カウンタのカウント値を増加させ、他の負荷率カウンタのカウント値を減少させるように制御し、第３の制御信号が発生されない時には、複数の負荷率カウンタのすべてのカウント値を減少させるように制御する。
【００４０】
図５は、第２実施例の電力制御部の処理を示すフローチャートである。第２実施例の処理の最初の部分は、第１実施例のステップ１０４までと同じであり、後のステップ１２４から１２８も第１実施例のステップ１０６から１１０と同じであり、ステップ１０５の替わりにステップ１２１から１２３が行われる点が異なる。
【００４１】
ステップ１２１では表示データから演算した階調レベル値の最高値ｖを所定の階調値Ａと比較する。ｖがＡより大きければ、ステップ１２２で、第１実施例のステップ１０５と同様に関係する負荷率カウンタのカウント値Ｗを１だけ増加し、それ以外の負荷率カウンタのカウント値Ｗを１だけ減少させる。ｖがＡより小さければ、ステップ１２３で、負荷率カウンタのカウント値Ｗをすべて１だけ減少させる。
【００４２】
すなわち、第２実施例では、階調レベル値の最高値ｖが所定の階調値Ａより大きい場合には第１実施例と同じ処理を行い、小さければすべての負荷率カウンタのカウント値Ｗを減少させる。なお、どの負荷率カウンタのカウント値を増加させるか、負荷率カウンタのカウント値をどのように変化させるかについては第１実施例と同様に各種の変形例が有り得る。
【００４３】
熱破壊や焼付けが発生するのは、静止画で、しかも全体的に暗い映像であるが、一部に輝度の高い部分、すなわち階調レベルの高い部分を有する画像の場合である。すなわち、静止画でも、最大の階調レベルが小さい場合には熱破壊や焼付けは発生しない。第２実施例では、このような場合にはサステイン周波数を低下させないようにして、映像が不必要に暗くなるのを防止している。
【００４４】
図６は、本発明の第３実施例のＰＤＰ装置の電力制御部の構成を示す図である。図示のように、第３実施例の電力制御部は、第２実施例の電力制御部において、第３判定部４２が、演算した階調レベルｖに所定の階調レベル以上の階調Ａが含まれているか判定すると同時に、サステイン周波数演算部２３で演算したサステイン周波数ｆｓｕｓが所定の値Ｂ以上であるかを判定し、両方を満たす時に第３の制御信号を発生して負荷率カウンタ制御部３１に出力する。負荷率カウンタ制御部３１は、第２実施例と同様に、表示フレーム毎に、第３の制御信号が発生された時には、演算したレベルに関係する負荷率カウンタのカウント値を増加させ、他の負荷率カウンタのカウント値を減少させるように制御し、第３の制御信号が発生されない時には、複数の負荷率カウンタのすべてのカウント値を減少させるように制御する。
【００４５】
図７は、第３実施例の電力制御部の処理を示すフローチャートである。第３実施例の処理では、第２実施例において、ステップ１２１の前にサステイン周波数ｆｓｕｓが所定の値Ｂ以上であるかを判定するステップ１３１を設け、サステイン周波数ｆｓｕｓが所定の値Ｂ以上であればステップ１２１に進み、サステイン周波数ｆｓｕｓが所定の値Ｂ以下であれば、ステップ１２３に進む点が第２実施例と異なる。
【００４６】
すなわち、第３実施例では、サステイン周波数ｆｓｕｓが所定の値Ｂより大きい場合には第２実施例と同じ処理を行い、小さければすべての負荷率カウンタのカウント値Ｗを減少させる。なお、どの負荷率カウンタのカウント値を増加させるか、負荷率カウンタのカウント値をどのように変化させるかについては第１及び第２実施例と同様に各種の変形例が有り得る。
【００４７】
熱破壊や焼付けが発生するのは、階調レベルの高い部分を有する静止画で、しかも全体的に暗い映像でサステイン周波数が大きな画像の場合である。すなわち、階調レベルの高い部分を有する静止画でも、全体的に明るい画像の場合には消費電力制御のために、サステイン周波数が低減されているので、熱破壊や焼付けは発生しない。第３実施例では、このような場合にはサステイン周波数を低下させないようにして、映像が不必要に暗くなるのを防止している。
【００４８】
図８は、本発明の第４実施例のＰＤＰ装置の電力制御部の構成を示す図である。図示のように、第４実施例の電力制御部は、第３判定部４２を加えている点が第１実施例の電力制御部と異なる。第３判定部４２は、サステイン周波数演算部２３で演算したサステイン周波数ｆｓｕｓが所定の値Ｂ以上であるかを判定し、サステイン周波数ｆｓｕｓが所定の値Ｂ以上である時に第３の制御信号を発生して負荷率カウンタ制御部３１に出力する。負荷率カウンタ制御部３１は、第１実施例と同様に、表示フレーム毎に、第３の制御信号が発生された時には、演算したレベルに関係する負荷率カウンタのカウント値を増加させ、他の負荷率カウンタのカウント値を減少させるように制御し、第３の制御信号が発生されない時には、複数の負荷率カウンタのすべてのカウント値を減少させるように制御する。
【００４９】
図９は、第４実施例の電力制御部の処理を示すフローチャートである。第４実施例の処理の最初の部分は、第１実施例のステップ１０４までと同じであり、後のステップ１２４から１２８も第１実施例のステップ１０６から１１０と同じであり、ステップ１０５の替わりにステップ１３１からステップ１２２と１２３が行われる点が異なる。
【００５０】
ステップ１２１ではサステイン周波数ｆｓｕｓが所定の値Ｂ以上であるかを判定する。サステイン周波数ｆｓｕｓが所定の値Ｂ以上である時には、ステップ１２２で、第１実施例のステップ１０５と同様に関係する負荷率カウンタのカウント値Ｗを１だけ増加し、それ以外の負荷率カウンタのカウント値Ｗを１だけ減少させる。サステイン周波数ｆｓｕｓが所定の値Ｂより小さい時には、ステップ１２３で、負荷率カウンタのカウント値Ｗをすべて１だけ減少させる。
【００５１】
すなわち、第４実施例では、サステイン周波数ｆｓｕｓが所定の値Ｂより大きい場合には第１実施例と同じ処理を行い、小さければすべての負荷率カウンタのカウント値Ｗを減少させる。なお、どの負荷率カウンタのカウント値を増加させるか、負荷率カウンタのカウント値をどのように変化させるかについては第１実施例と同様に各種の変形例が有り得る。
【００５２】
熱破壊や焼付けが発生するのは、静止画で、しかも全体的に暗い映像でサステイン周波数が大きな画像の場合である。すなわち、静止画でも、全体的に明るい画像の場合には消費電力制御のために、サステイン周波数が低減されているので、熱破壊や焼付けは発生しない。第４実施例では、このような場合にはサステイン周波数を低下させないようにして、映像が不必要に暗くなるのを防止している。
【００５３】
【発明の効果】
以上説明したように、本発明によれば、表示パターンに起因するパネルの熱破壊や画面の焼付が防止できる。
【図面の簡単な説明】
【図１】一般的なプラズマディスプレイ（ＰＤＰ）装置の全体構成を示すブロック図である。
【図２】本発明の第１実施例のＰＤＰ装置の電力制御部の構成を示す図である。
【図３】第１実施例の電力制御部における処理を示すフローチャートである。
【図４】本発明の第２実施例のＰＤＰ装置の電力制御部の構成を示す図である。
【図５】第２実施例の電力制御部における処理を示すフローチャートである。
【図６】本発明の第３実施例のＰＤＰ装置の電力制御部の構成を示す図である。
【図７】第３実施例の電力制御部における処理を示すフローチャートである。
【図８】本発明の第４実施例のＰＤＰ装置の電力制御部の構成を示す図である。
【図９】第４実施例の電力制御部における処理を示すフローチャートである。
【符号の説明】
１０…プラズマ・ディスプレイ・パネル（ＰＤＰ）
１１…Ｘ側共通ドライバ
１２…Ｙ側スキャンドライバ
１３…Ｙ側共通ドライバ
１４…アドレスドライバ
１５…制御部
１６…表示データ制御部
１７…スキャンドライバ制御部
１８…表示／電力制御部
２０…電力制御部
２２…負荷率演算部
２３…サステイン周波数演算部
２６…サステイン周波数制御部
３１…負荷率カウンタ制御部
３２−１，３２−２，３２−Ｎ…負荷率カウンタ
３３…第１判定部
３４…垂直同期信号カウンタ
３５…第２判定部
【図１】
2004045886.tif 000003
【図２】
2004045886.tif 000004
【図３】
2004045886.tif 000005
【図４】
2004045886.tif 000006
【図５】
2004045886.tif 000007
【図６】
2004045886.tif 000008
【図７】
2004045886.tif 000009
【図８】
2004045886.tif 000010
【図９】
2004045886.tif 000011